(57)【要約】【課題】磁吸着面を具えた簡易加工のベルト用バックルの提供。【解決手段】本発明の磁吸着面を具えたベルト用バックルは、バックル本体（４）が磁性金属材料で製造され、その一つの表面に少なくとも一つの、開口が上向きの収容溝（４１）が凹設され、該収容溝（４１）の内端面に磁吸着面（４２）が形成され、該磁吸着面（４２）の両側辺それぞれに側壁（４３）が形成され、該収容溝（４１）内に装飾手段（５）が設けられ、該装飾手段（５）の表面に少なくとも一つの磁石（５１）が設けられて該磁吸着面（４２）に吸着する。該バックルの磁吸着面（４２）が各種の異なる形式の装飾手段（５）を吸着でき、装飾手段（５）に複数の磁石が設けられて複数の磁吸着点が形成される時、簡単且つ強固に該磁吸着面（４２）上に吸着でき、該収容溝（４１）は一回のプレス加工で形成され、工程が簡便で製造コストと時間を減らせ、極めて良好な実用性と便利性を有する。【選択図】図７
2013215525.tif 000002
【特許請求の範囲】
【請求項１】
磁吸着面を具えた簡易加工のベルト用バックルにおいて、
バックル本体（４）が磁性金属材料で製造され、その一つの表面に少なくとも一つの、開口が上向きの収容溝（４１）が凹設され、該収容溝（４１）の内端面に磁吸着面（４２）が形成され、該磁吸着面（４２）の両側辺それぞれに側壁（４３）が形成され、該収容溝（４１）内に装飾手段（５）が設けられ、該装飾手段（５）の表面に少なくとも一つの磁石（５１）が設けられて該磁吸着面（４２）に吸着することを特徴とする、磁吸着面を具えた簡易加工のベルト用バックル。
【請求項２】
磁吸着面を具えた簡易加工のベルト用バックルにおいて、
バックル本体（４ｃ）が非磁性材料で製造され、その一つの表面に少なくとも一つの、開口が上向きの収容溝（４１ｃ）が凹設され、該収容溝（４１ｃ）の内端面に溝孔（４１１ｃ）が凹設され、該溝孔（４１１ｃ）内に、磁性材質の吸着層（４４ｃ）が設けられ、該収容溝（４１ｃ）の両側辺それぞれに側壁（４３）が形成され、該収容溝（４１ｃ）内に装飾手段（５ｃ）が設けられ、該装飾手段（５）の表面に少なくとも一つの磁石（５１）が設けられて該吸着層（４４ｃ）に吸着することを特徴とする、磁吸着面を具えた簡易加工のベルト用バックル。
【発明の詳細な説明】
【技術分野】
【０００１】
本発明は一種のベルト用バックルに係り、特に、製造が簡易で且つ造形の多様な変化を可能とする磁吸着面を具えた、ベルト用バックルに関する。
【背景技術】
【０００２】
ベルトは本来、ズボンを縛りつける目的のみに用いられ、其の他の用途を提供できず、現代の消費者の要求の、多様性と多機能の趨勢に対しては、その購入意欲を吸引するのに不足し、構造を改変することで、機能性をアップする必要がある。
【０００３】
このため、ある業者は多種類のバックルを研究開発して消費者の要求を満足させている。図１には、市販されている既存のベルト用バックルが示され、該バックル１の側辺には突出し且つ開口が外向きの壁体１１が設けられ、その中間に滑り溝１１１が形成され、該滑り溝１１１内に第１磁石１１２があり、それは底部に第２磁石１２１を設けたマーク１２を吸着できる。この設計は、マーク１２の着脱に便利であるが、外力を受けただけで該マーク１２が押されて横向きに移動してしまい、且つ該滑り溝１１１にはストッパがないため、脱落が発生しやすい。
【０００４】
さらに、図２は特許文献１に記載の構造であり、それはバックル２の端面に無貫通の溝孔２１が設けられ、並びに上側に凹んだ断面２２が形成され、該断面２２に溝孔２１と連通するスロット２３が設けられ、該スロット２３内にマーク２４が設けられ、該マーク２４と該溝孔２１が相互に対応し、並びにカバー２５で溝２３が塞がれることで、該マーク２４が安定して位置決めされる。該マーク２４を着脱したい時は、まず該カバー２５を取り外さねばならず、このため、使用上、極めて不便であり、且つ、このベルト用バックル２の製造工程は比較的煩瑣である。
【０００５】
さらに、図３を参照されたい。これは特許文献２に記載の構造を示し、それは、バックル本体３の端面に凹溝３１が設けられ、その側辺それぞれに複数の固定式磁石３２が設けられ、さらに嵌め込み体３３の周辺に複数の磁石３３１が設けられ、バックル本体３の磁石３２と嵌め込み体３３の磁石３３１の相互吸着により、嵌め込み体３３がしっかりと該凹溝３１内に固定される。しかし、この設計は、該嵌め込み体３３と該凹溝３１の形状をマッチさせる必要があり、嵌め込み体３３の造形の変更の自由度がなく、且つ磁石３２、３３１の位置は相互にアラインしなければ吸着できず、使用上、比較的不便である。
【０００６】
前述のベルト用バックルのマーク或いは嵌め込み体等の吸着物はいずれも任意に取り外し或いは吸着位置決めが行えるが、バックル本体と吸着物にいずれも相互に対応する磁吸着点を設置することが必要で、吸着物の外形は、バックル本体の制限を受け、他の異なる形式の吸着物に交換したい場合は、その吸着点が相互に対応せず、すなわち、バックル本体も同時に交換しなければ、安定した吸着の効果を達成できない。このため、使用の便利性が欠如し、さらに消費者が購入する時の負担も余計に増すことになる。
これにより、本発明者は研究を重ね、並びに学んだことを結合させ、上述の問題に対して、一種の磁吸着面を具えた簡易加工のベルト用バックルを提供して周知の技術の欠点を克服する。
【先行技術文献】
【特許文献】
【０００７】
【特許文献１】米国特許公告第ＵＳ３１５５２３６号
【特許文献２】米国特許公告第ＵＳ６８８６７２４号
【特許文献３】米国特許公告第ＵＳ７７８４６５５号
【特許文献４】米国特許公告第ＵＳ２０１１０１６７５９７号
【発明の概要】
【発明が解決しようとする課題】
【０００８】
本発明は、本発明者により取得された上記特許文献３、特許文献４の創作精神に基づいて、更なる研究開発を行なって提供される、磁吸着面を具えた簡易加工のベルト用バックルであり、この設計により、前述の周知の技術の欠点を克服し、ベルト用バックルの製造工程を簡易化するのみならず、部品設計上の欠点を改善し、ひいては加工効率をアップすると共に、使用便利性を高める効果を提供することを目的とする。
【課題を解決するための手段】
【０００９】
前述の目的を達成するため、本発明は一種の磁吸着面を具えた簡易加工のベルト用バックルを提供し、該ベルト用バックルは磁性金属材料で製造され、該ベルト用バックルは一次プレス方式で、その端面に少なくとも一つの開口が上向きの収容溝が形成され、該収容溝の内端面に磁吸着面が形成され、その両側辺それぞれに側壁が形成され、該収容溝内にさらに装飾手段が設けられ、該装飾手段の一表面に少なくとも一つの磁石が設けられ、並びに該磁吸着面に吸着するものとされる。
【００１０】
さらに、該ベルト用バックルは非磁性材料で製造される時、該収容溝の端面に溝孔が凹設され、該溝孔内に磁性材質の吸着層が設けられ、装飾手段の吸着に供される。
【発明の効果】
【００１１】
上述の技術手段により、本発明は既存の技術に較べて、以下のような優れた点を有している。
１．本発明のバックル本体は磁性金属材料で製造され、その収容溝はプレス加工で成形され、加工に便利で、並びに製造工程と時間を減らせ、製造コスト節約の目的を達成する。
２．本発明の収容溝の磁吸着面は平面とされ、それは各種の不規則形状の装飾手段に対応でき、ただ装飾手段の表面の適宜位置に磁石を設置すれば、簡単に且つしっかりと該磁吸着面上に吸着させられる。これにより、本発明のバックル本体は各種の装飾手段に対応しそれらを吸着できる。これにより、有効に、周知のベルト用バックルが磁吸着点の設計に制限されるために、装飾手段の外形が単一で面白みに欠けることとなる欠点を解決する。本発明は磁吸着面の設計により、使用者が随意に異なる形状の装飾手段に交換して異なる場面の要求に対応でき、極めて良好な実用性を有し、さらに本発明の使用価値を向上する。
３．本発明の収容溝の開口は人体工学に符合するように開口端が上向きに設置され、使用者が簡単に装飾手段を取り付け、取り外しでき、使用時に十分に便利である。
【図面の簡単な説明】
【００１２】
【図１】周知のベルト用バックルの動作表示図である。
【図２】米国特許公告第ＵＳ３１５５２３６号記載の周知技術の構造表示図である。
【図３】米国特許公告第ＵＳ６８８６７２４号記載の周知技術の構造表示図である。
【図４】本発明の第１実施例の使用表示図である。
【図５】図４の側面図である。
【図６】本発明のベルト用バックルの断面平面図である。
【図７】本発明の装飾手段の異なる態様の表示図である。
【図８】本発明の第２実施例の表示図である。
【図９】本発明の第３実施例の動作表示図である。
【発明を実施するための形態】
【００１３】
本発明の技術内容、構造特徴、達成する目的を詳細に説明するため、以下に実施例を挙げ並びに図面を組み合わせて説明する。
【００１４】
図４から図７には本発明の第１実施例が示される。本発明は一種の磁吸着面を具えた簡易加工のベルト用バックルとされ、該バックル本体（４）は一次プレス加工方式で成形され、その一つの表面に少なくとも一つの開口が上向きの収容溝（４１）が形成され、該収容溝（４１）の内端面に磁吸着面（４２）が形成され、該磁吸着面（４２）の両側辺にそれぞれ側壁（４３）が形成され、該収容溝（４１）内に装飾手段（５）が設けられる。
【００１５】
該装飾手段（５）の表面には少なくとも一つの磁石（５１）が設けられ並びに磁吸着面（４２）上に吸着し、これら磁石（５１）が複数の磁吸着点を形成する。
【００１６】
これにより、該装飾手段（５）が不規則形状に設計される時、磁石（５１）が該装飾手段（５）の適宜位置に設置されて、磁吸着点がバランスよく該磁吸着面（４２）に吸着されればよい。図７に示されるように、現代社会の流行傾向に応じて、装飾手段（５ａ）は任意にその造形外観が変化させられ、使用者が気の向くままに組み合わせることができるものとされ、たとえば、十二支或いは１２星座シンボルなどの各種の不規則形状とされ、これにより、消費者の購入意欲を増す。
【００１７】
造形が多様に変化する装飾手段（５ａ）は、複数の磁石（５１ａ）が形成する磁吸着点のみにより、該装飾手段（５ａ）を平衡してしっかりと該磁吸着面（４２）上に吸着させられ、これは既存のベルト用バックルが達成し得ない作用効果である。
【００１８】
本発明を使用する時は、親指で装飾手段（５）を押して並びに上に移動させることで、装飾手段（５）を簡単に取り出すことができる。使用完了後、装飾手段（５）は随意に該磁吸着面（４２）の任意の場所に吸着させることができ、取り付け取り外しに十分に便利であり、且つこのような垂直の上下の出し入れ方式は、人体工学原理に符合し、長期に使用しても手腕の不適を形成しない。
【００１９】
且つ使用者が運動する時、該収容溝（４１）の側壁（４３）が該装飾手段（５）に当接し、収容溝（４１）内に保持して脱落させない。さらに、該装飾手段（５）は各種の異なる造形変化が可能で、円形とされる時は、コイン代わりに大売り場の手押し車に使用するか、またはゴルフ場でボールマークとすることができ、本発明は確実に多種類の異なる作用効果を達成する。
【００２０】
図８は本発明の第２実施例を示し、本実施例のバックル本体（４ｂ）には二つの収容溝（４１ｂ）が設けられ、それに異なる態様の装飾手段（５ｂ）が置かれ、これによりバックル本体（４ｂ）の美観と個性がアップされる。
【００２１】
図９は本発明の第３実施例を示し、本実施例のバックル本体（４ｃ）は非磁性材料で形成され、該バックル本体（４ｃ）は射出加工方式で成形され、その特色は、該収容溝（４１ｃ）の内端面に溝孔（４１１ｃ）が凹設され、該溝孔（４１１ｃ）内に磁性材質の吸着層（４４ｃ）が設けられ、該吸着層（４４ｃ）は平面設計とされ、これにより、該装飾手段（５ｃ）が簡単にそれと吸着し、且つその形状或いは吸着位置が限定されず、これにより、ベルト用バックルの美観と便利性がアップする効果を達成する。
【００２２】
総合すると、本発明は一種の磁吸着面を具えた簡易加工のベルト用バックルを提供し、それは、従来の技術の提供するベルト用バックルの使用方式とは違いがあり、優れた吸着効果を有する。
【００２３】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００２４】
（４）バックル本体
（４１）収容溝
（４２）磁吸着面
（４３）側壁
（５）装飾手段
（５１）磁石
（５ａ）装飾手段
（５１ａ）磁石
（４１ｂ）収容溝
（５ｂ）装飾手段
（４ｃ）バックル本体
（４１ｃ）収容溝
（４１１ｃ）溝孔
（４４ｃ）吸着層
（５ｃ）装飾手段
【図１】
2013215525.tif 000003
【図２】
2013215525.tif 000004
【図３】
2013215525.tif 000005
【図４】
2013215525.tif 000006
【図５】
2013215525.tif 000007
【図６】
2013215525.tif 000008
【図７】
2013215525.tif 000009
【図８】
2013215525.tif 000010
【図９】
2013215525.tif 000011
【手続補正書】
【提出日】平成25年8月5日(2013.8.5)
【手続補正１】
【補正対象書類名】明細書
【補正対象項目名】００２４
【補正方法】変更
【補正の内容】
【００２４】
（４）バックル本体
（４１）収容溝
（４２）磁吸着面
（４３）側壁
（４５）底壁
（４６）上部開口
（５１）磁石
（５ａ）装飾手段
（５１ａ）磁石
（４１ｂ）収容溝
（５ｂ）装飾手段
（４ｃ）バックル本体
（４１ｃ）収容溝
（４１１ｃ）溝孔
（４４ｃ）吸着層
（５ｃ）装飾手段
【手続補正２】
【補正対象書類名】特許請求の範囲
【補正対象項目名】全文
【補正方法】変更
【補正の内容】
【特許請求の範囲】
【請求項１】
磁吸着面を具えた簡易加工のベルト用バックルにおいて、
バックル本体（４）が磁性金属材料で製造され、その一つの表面に、装飾手段（５）を収容する少なくとも一つの収容溝（４１）が凹設され、該収容溝（４１）は該バックル本体（４）の表面と平行な磁吸着面（４２）、該磁吸着面（４２）にそれぞれ垂直に接続された対向する二つの側壁（４３）及び一つの底壁（４５）、及び該底壁（４５）に平行で並びに該収容溝（４１）内部と連通する上部開口（４６）を具え、該装飾手段（５）の表面に少なくとも一つの磁石（５１）が設けられて該磁吸着面（４２）に吸着し、且つ該磁吸着面（４２）の面積は該磁石（５１）の面積より大きいことを特徴とする、磁吸着面を具えた簡易加工のベルト用バックル。
【請求項２】
磁吸着面を具えた簡易加工のベルト用バックルにおいて、
バックル本体（４ｃ）が非磁性材料で製造され、その一つの表面に装飾手段（５ｃ）を収容する少なくとも一つの収容溝（４１ｃ）が凹設され、該収容溝（４１ｃ）は、該バックル本体（４ｃ）の表面に平行で並びに該バックル本体（４ｃ）の表面から離れる方向に凹設された溝孔（４１１ｃ）を具え、該溝孔（４１１ｃ）内に、磁性材質の吸着層（４４ｃ）が設けられ、該収容溝（４１ｃ）は該吸着層（４４ｃ）と垂直に設置された対向する二つの側壁（４３）と一つの底壁（４５）、及び該底壁（４５）に平行で並びに該収容溝（４１ｃ）内部と連通する上部開口（４６）を具え、該装飾手段（５ｃ）の表面に少なくとも一つの磁石（５１）が設けられて該吸着層（４４ｃ）に吸着し、且つ該吸着層（４４ｃ）の面積は該磁石（５１）の面積より大きいことを特徴とする、磁吸着面を具えた簡易加工のベルト用バックル。
【手続補正３】
【補正対象書類名】図面
【補正対象項目名】図７
【補正方法】変更
【補正の内容】
【図７】
2013215525.tif 000012
【手続補正４】
【補正対象書類名】図面
【補正対象項目名】図９
【補正方法】変更
【補正の内容】
【図９】
2013215525.tif 000013